(57)【要約】      （修正有）【課題】金属板等のカッティング作業時に生ずるひねりやぐら付きを解消できる、電動はさみの本体と接続するための接続ホルダーを提供する。【解決手段】前方部１に電動はさみｂを接続する頭部付きボルト１２とナット１３を取着けた接続体ｃが形成され、接続体の後方基端部２には、電動ドライバーａのモーター部３の前方部４より後方部５にかけて外周側面を被覆するとともに、後方部７に孔部９を有する押圧支承部６を形成し、押圧支承部は、接続体の後方基端部２において、開閉自在な開閉機構１０で接続された左側ホルダーｄと右側ホルダーｅをセットにして構成され、両ホルダーは孔部９に、締め付けナット８ａ付き接続杆８を貫通させて固定される。【選択図】 図２
0003211255.tif 000002
【実用新案登録請求の範囲】
【請求項１】
電動ドライバーと電動はさみを接続せしめる接続ホルダーにおいて、
前方部に前記電動はさみを接続せしめる頭部付きボルトとナットを取着の接続体が形成され、前記接続体の後方基端部には、前記電動ドライバーのモーター部の前方部より後方部にかけて前記電動ドライバーのモーター部の外周側面を被覆せしめる押圧支承部を形成し、後方部には接続杆を貫通せしめる孔部を形成し、前記接続体の後方基端部と開閉自在な開閉機構とからなる左側ホルダーを形成し、前記左側ホルダーと同じ構造を有する右側ホルダーをセットにして使用すると共に、前記両ホルダーを前記孔部に貫通せしめて接続し、且締め付けるナット付き接続杆とから成ることを特徴とする、電動ドライバーと電動はさみを接続せしめる接続ホルダー。
【請求項２】
前記接続体が、板状に形成されていることを特徴とする、請求項１に記載の電動ドライバーと電動はさみを接続せしめる接続ホルダー。
【請求項３】
前記開閉自在な開閉機構が、前記接続体の後方基端部より巻込み部が突設され、前記左側ホルダー及び右側ホルダーの前方部より巻込み部が夫々突設せしめられ、前記巻込み部には頭部付きボルトが挿込まれ、ナットが螺着し組立てられていることを特徴とする、請求項１又は２に記載の電動ドライバーと電動はさみを接続せしめる接続ホルダー。
【請求項４】
前記左側ホルダーと前記右側ホルダーに形成せしめられた孔部が複数穿設せしめられていることを特徴とする、請求項１又は２又は３に記載の電動ドライバーと電動はさみを接続せしめる接続ホルダー。
【請求項５】
前記左側ホルダーと右側ホルダーの上辺部と下辺部との間の押圧支承部が、板状にして、且外側方に膨出せしめられていることを特徴とする、請求項１又は２又は３又は４に記載の電動ドライバーと電動はさみを接続せしめる接続ホルダー。
【考案の詳細な説明】
【技術分野】
【０００１】
本考案は、電動ドライバーと電動はさみを接続せしめる接続ホルダーの技術分野に関するものである。
【背景技術】
【０００２】
従来、電動ドライバーと電動はさみに着脱自在な接続ホルダーとして、下記特許文献１（実用新案登録第３２０７７４７号公報）が開示されている。
【０００３】
この特許文献１に記載の考案の電動ドライバーと電動はさみ（ロータリーシアー）を接続せしめる接続ホルダーは、電動はさみを構成する本体の締付け用ボルト孔にボルトを貫通した後、電動ドライバーのチャックに前記電動はさみの後方部に突設する６．３５六角シャンクを嵌着し、嵌着後は接続具を構成するバンド体の下方の両端部に接続せしめている２つの開放部材を、手指を引掛けながら外側方に展開せしめながら、電動ドライバーのモーター部の上方部から左側方部と右側方部にかけて嵌挿すると、前記電動はさみと電動ドライバーが確実に接続せしめられると云う構成のものであった。
【先行技術文献】
【特許文献】
【０００４】
【特許文献１】実用新案登録第３２０７７４７号公報
【考案の概要】
【考案が解決しようとする課題】
【０００５】
従来開示されている前記特許文献１の電動ドライバー及び電動はさみの接続ホルダーは、電動はさみｂと電動ドライバーａとを接続するのに、２本の接続杆６、７が、棒状にて形成されていた。そのため金属板等のカッティング作業時において、若干ひねられたり、ぐら付くと云うおそれがあった。
【０００６】
また電動ドライバーの大きさがメーカー毎に異なるのに対応させるのに、前記した２本の接続杆を伸縮せしめて長さを調整すると云う構造であった。
【０００７】
しかるに本考案が解決しようとする課題は、接続ホルダーが電動はさみの両側面との接触面を従来の接続ホルダーに比し、著しく拡大して、金属板等のカッティング作業時に生ずるひねりやぐら付きを解消せしめるために板状にして、さらに電動はさみの本体と接続せしめるための接続ボルトの本数を４本に増大する等して、前記の金属板等のカッティング作業時に生ずるひねりやぐら付きを解決した。
【０００８】
さらに本考案が解決しようとする課題は、電動ドリルの外周側面部をより広く被覆し、押圧支承する膨出状の左側ホルダーと右側ホルダーを２枚使用することによって、接続強度を強固にした。
【０００９】
本考案が解決しようとする課題は、前記接続体と一対の左右両側ホルダーを、開閉自在な開閉桟構として嵌着する際の作業性能を簡単にして、且迅速にした。
【００１０】
さらに本考案が解決しようとする課題は、各メーカー毎に異なる電動ドリルのモーター部の径や長短にも対応できる接続杆を貫通せしめる孔部を、複数形成せしめたことである。
【課題を解決するための手段】
【００１１】
上記課題を解決するための手段として、請求項１に記載の考案は、電動ドライバーａと電動はさみｂを接続せしめる接続ホルダーＡにおいて、
前方部１に前記電動はさみｂを接続せしめる頭部付きボルト１２とナット１３を取着の接続体ｃが形成され、前記接続体ｃの後方基端部２には、前記電動ドライバーａのモーター部３の前方部４より後方部５にかけて前記電動ドライバーａのモーター部３の外周側面を被覆せしめる押圧支承部６を形成し、後方部７には接続杆８を貫通せしめる孔部９を形成し、前記接続体ｃの後方基端部２と開閉自在な開閉機構１０とからなる左側ホルダーｄを形成し、前記左側ホルダーｄと同じ構造を有する右側ホルダーｅをセットにして使用すると共に、前記両ホルダーｄ、ｅを前記孔部９に貫通せしめて接続し、且締め付けるナット８ａ付き接続杆８とから成ることを特徴とする電動ドライバーと電動はさみを接続せしめる接続ホルダーである。
【００１２】
請求項２に記載の考案は、前記接続体ｃが、板状に形成されていることを特徴とする請求項１に記載の電動ドライバーと電動はさみを接続せしめる接続ホルダーである。  
【００１３】
請求項３に記載の考案は、前記開閉自在な開閉機構１０が、前記接続体ｃの後方基端部２より巻込み部２ａが突設され、前記左側ホルダーｄ及び右側ホルダーｅの前方部１１より巻込み部１１ａが夫々突設せしめられ、前記巻込み部２ａ、１１ａには頭部付きボルト１４が挿込まれ、ナット１４ａが螺着し組立てられていることを特徴とする請求項１又は２に記載の電動ドライバーと電動はさみを接続せしめる接続ホルダーである。
【００１４】
請求項４に記載の考案は、前記左側ホルダーｄと前記右側ホルダーｅに形成せしめられた孔部９、９が複数穿設せしめられていることを特徴とする請求項１又は２又は３に記載の電動ドライバーと電動はさみを接続せしめる接続ホルダーである。
【００１５】
請求項５に記載の考案は、前記左側ホルダーｄと右側ホルダーｅの上辺部６ａと下辺部６ｂとの間の押圧支承部６が、板状にして、且外側方に膨出せしめられていることを特徴とする請求項１又は２又は３又は４に記載の電動ドライバーと電動はさみを接続せしめる接続ホルダーである。
【考案の効果】
【００１６】
本考案は、前記した構成なので、前方部の電動はさみに接続せしめる接続体が、板状であること、且複数の挿込みボルトによって電動はさみの平面状の両側面部にぴったりと密着して取付けられ、しかも板状にして、且外側方に膨出せしめる構造の一対の対称的な左右両側ホルダーを設けることによって、前記電動ドライバーのモーター部の外周側面をより広く被覆し、且押圧支承せしめて、前記電動はさみの金属板等の切り込み作業時に、前記電動はさみがぐら付くようなおそれを一挙に解消した。
【００１７】
さらに本考案は、一対の対称的な左右両側ホルダーが開閉自在な開閉桟構としたので、電動はさみの六角シャンクを電動ドライバーに挿込み装着せしめた後、展開状態になっている一対の左右両側ホルダーを閉じ、さらに接続杆を左右両側ホルダーの所定の対称する夫々の孔に貫通せしめナットを締めれば、極めて簡単且迅速に電動ドライバーと電動はさみを接続せしめることができる。
【００１８】
本考案は、前記の一対の対称の左右両側ホルダーの押圧支承部が、外側方に膨出せしめられているので、モーター部の外周側面に対するカバーする面が、従来のものよりも当り、接触する面部が広大となり、そのため金属板等の切り込み作業時に発生するひねりやぐら付きを確実に防止でき、正確な切り込み作業が発揮できる利点がある。
【００１９】
また、一対の左右両側ホルダーの後方部に形成する孔部が複数穿設されているので、メーカー毎に異なる電動ドライバーのモーター部でも、接続杆の貫通個所を調整し対応できるすぐれた利点がある。
【図面の簡単な説明】
【００２０】
【図１】本考案の電動ドライバーと電動はさみを接続せしめる接続ホルダーを電動はさみに接続せしめ電動ドライバーに嵌着直前の状態を示す斜視図である。
【００２１】
【図２】同図１の状態から接続ホルダーを組立てた状態の斜視図である。
【００２２】
【図３】図２のようにして組立てた接続ホルダーの使用状態を示す斜視図である。
【００２３】
【図４】本考案の接続ホルダーを底面部よりみた斜視図である。
【００２４】
【図５】本考案の接続ホルダーを電動ドライバーと電動はさみに取付け時に使用する専用作業工具の正面図である。
【考案を実施するための最良の形態】
【００２５】
本考案の電動ドライバーと電動はさみの接続ホルダーの好適な実施形態を以下のとおり図面にしたがって説明する。なお、請求項１〜５に記載の考案の実施の形態は、共通しているので以下のとおり一括して説明する。
【００２６】
図において、符号Ａは接続ホルダーであり、ａは接続ホルダーＡによって押圧支承せしめられている電動ドライバーであり、ｂは電動はさみである。
【００２７】
前記接続ホルダーＡの構成は、前記電動はさみｂに接続せしめる接続体ｃと一対の左側ホルダーｄと右側ホルダーｅとを、本考案は主たる構成部材とするものであり、以下においてこれら各構成部材の実施例を述べる。
【００２８】
＜接続体ｃの実施例＞
図において、符号ｃは本考案の電動ドライバーａと電動はさみｂとを接続せしめる接続ホルダーＡを構成する接続体である。この接続体ｃには、図示されているように左側ホルダーｄと右側ホルダーｅの前方部１にして、前記電動はさみｂと接続せしめるための２本の頭部付きボルト１２とナット１３が取着されている。
【００２９】
さらに接続体ｃは、全体が前記電動はさみｂの平面状の左右両側側面部１６、１７と密着可能にするために板状に形成されている。
【００３０】
またこの接続体ｃのボルト１２は、電動はさみｂのボルト孔（図示されていない）に貫通させる。
【００３１】
さらに前記接続体ｃは、後方基端部２に、後述する左側ホルダーｄと接続するための開閉桟構１０を構成する巻込み部２ａが上段部と下段部に２個所突設されている。
【００３２】
前記２個所の巻込み部２ａには、頭部付きボルト１４を挿込むことができる孔部（図示していない）が形成されている。
【００３３】
＜左側ホルダーｄの実施例＞
図において、ｄは左側ホルダーであり、以下の構成からなっている。
【００３４】
この左側ホルダーｄは、前記接続体ｃの後方基端部２に、前記電動ドライバーａのモーター部３の前方部４より後方部５にかけて前記電動ドライバーａのモーター部３の外周側面を被覆せしめる押圧支承部６を形成し、後方部７には接続杆８を貫通せしめる孔部９を形成し、前記接続体ｃの後方基端部２と開閉自在な開閉機構１０とからなっている。
【００３５】
そして、前記左側ホルダーｄの前方部１１には、開閉桟構１０を形成するための巻込み部１１ａが突設されている。この巻込み部１１ａにも頭部付きボルト１４を挿込むことができる孔部（図示していない）が形成されている。
【００３６】
さらに前記左側ホルダーｄの上辺部６ａと下辺部６ｂとの間の押圧支承部６は、前記モーター部３の外側面を広く押圧支承せしめることができるように、板状にして、且外側方に膨出させる。
【００３７】
そして、前記左側ホルダーｄの前方部には、強度を保持せしめるためのリブ６ｃが形成されている。
【００３８】
前記左側ホルダーｄの後方部７には、接続杆８を貫通せしめるための孔部９が複数並列状に形成されている。
【００３９】
前記孔部９は複数形成されているので、メーカー毎に大きさが異なるモーター部３であっても十分対応できる。
【００４０】
＜接続体ｃと左側ホルダーｄとの組立てに関する実施例＞
前記接続体ｃと前記左側ホルダーｄは、図１、２、３、４に図示されているように、接続体ｃの後方基端部２に突設されている巻込み部２ａと、左側ホルダーｄの前方部に突設されている巻込み部１１ａとを接続し、前記巻込み部２ａ、１１ａに頭部付きボルト１４を挿込みナット１４ａを螺着して組立てられる。
【００４１】
＜右側ホルダーｅの実施例＞
図において、ｅは右側ホルダーであり、前記した左側ホルダーｄと一対になって使用されるものであって、その具体的な構造は、前記した左側ホルダーｄと全く同一である。従って具体的説明は前記左側ホルダーｄの説明と同じなので省略した。
【００４２】
＜電動はさみｂの実施例＞
ｂは電動はさみであり、この電動はさみｂは左側面部１６と右側面部１７が平行状にして、且平面状にて形成されている。そして前記接続体ｃに接続されている頭部付きボルト１４が貫通する貫通孔（図示なし）が形成されている。
【００４３】
さらに本考案においては、前記接続体ｃと前記電動はさみｂを接続するときは、図５に図示されている専用工具であるスパナ１９とねじ廻し２０を使用し、図１、２、３に図示するようにして、前記接続体ｃと前記電動はさみｂとを接続する。
【００４４】
さらに、前記電動はさみｂには、刃部１５と反対側の後側方部には、六角シャンク２１が嵌着せしめられている。
【００４５】
図において、１８は電動はさみｂの上面部に取着されているハンドルである。
【００４６】
＜電動ドライバーａの実施例＞
図において、ａは電動であり以下の構成からなっている。
【００４７】
３は電動ドライバーａを構成するモーター部、４はモーター部３の前方部、５は後方部である。
【００４８】
本考案は、市販されている各メーカーのものに対応できるのが特長である。
【００４９】
＜接続ホルダーＡの組立てに関する実施例＞
本考案の接続ホルダーＡを組立てるには以下のようにする。
【００５０】
前記電動はさみｂと前記左右両側ホルダーｄ、ｅを組立てるには、専用工具１９、２０を使用して、前記電動はさみｂに前記接続体ｃ、ｃとを２本の頭部付きボルト１２を前記電動はさみｂの左右両側面部１６、１７に設けられている孔に貫通せしめ、ナット１３を螺着する。その際、前記接続体ｃ、ｃは、前記電動はさみｂの左右両側面部１６、１７と密着状態となっている。
【００５１】
つぎに前記電動はさみｂの六角シャンク２１を前記電動ドライバーａのチャック３ａに嵌着せしめる。
【００５２】
つぎに、外側方に展開状態となっている左側ホルダーｄと右側ホルダーｅを、前記電動ドライバーａのモーター部３の外周側面に近づけ被覆せしめ、接続杆８を孔部９、９に貫通せしめナット８ａを締め付け組立てる（図２、３参照）。
【００５３】
＜接続ホルダーＡの使用例＞
上記のように組立てられた本考案の接続ホルダーＡは、図３に図示するようにして、金属板ｆを片方の左手でつかみ、他方の右手で前記電動ドライバーａを握持しながらカッティング作業を行うようにする。その際前記電動はさみｂがカッティング作業等にひねられたり、ぐら付くようなことは全くない。
【００５４】
つぎに前記のように組立てられた接続ホルダーＡと、前記電動ドライバーａを分離するには、螺着中のナット８ａをゆるめ、接続杆８を孔９、９から抜き、さらに前記シャンク２１と前記電動ドライバーａのチャック３ａとを離脱せしめてやる（図１参照）。
【００５５】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００５６】
Ａ      接続ホルダー
ａ      電動ドライバー
ｂ      電動はさみ
ｃ      接続体
ｄ      左側ホルダー
ｅ      右側ホルダー
ｆ      金属板
１      前方部
２      後方基端部
２ａ    巻込み部
３      モーター部
３ａ    チャック
４      前方部
５      後方部
６      押圧支承部
６ａ    上辺部
６ｂ    下辺部
６ｃ    リブ
７      後方部
８      接続杆
８ａ    ナット
９      孔部
１０    開閉桟構
１１    前方部
１１ａ  巻込み部
１２    頭部付きボルト
１３    ナット
１４    頭部付きボルト
１４ａ  ナット
１５    刃部
１６    左側面部
１７    右側面部
１８    ハンドル
１９    スパナ
２０    ねじ廻し
２１    六角シャンク
【図１】
0003211255.tif 000003
【図２】
0003211255.tif 000004
【図３】
0003211255.tif 000005
【図４】
0003211255.tif 000006
【図５】
0003211255.tif 000007